(57)【要約】【課題】小出力、小型の吸引装置でエアフィルターの自動吸引清掃が行える空気調和機を提供する。【解決手段】エアーフィルター（図示せず）に沿って移動可能な吸引ノズル３に連結された吸引装置（図示せず）を備え、吸引ノズル３は、開口部２１と、吸引孔２２ａ〜２２ｄをずらして配置した吸引孔切り替え板２３を有し、吸引ノズル３をエアフィルターに沿って移動させる毎に吸引孔切り替え板２３を前記開口部２１上で移動させて吸引する吸引孔２２ａ〜２２ｄを順次切り替えることでエアフィルター全面を清掃するもので、吸引する部分は吸引孔２２ａ〜２２ｄの内開口部２１と重なった部分に絞られるので、強い吸引力を発揮しつつ吸引風量を低下させることができ、吸引装置６の動力は小さいものですむ。【選択図】図２
2005140406.tif 000002
【特許請求の範囲】
【請求項１】
熱交換器と、前記熱交換器に流入する空気に含まれる塵埃を捕集するエアフィルターと、前記エアーフィルターの上流側表面に沿って移動可能な吸引ノズルと、前記吸引ノズルに連結された吸引装置を備え、前記吸引ノズルは、スリット状の開口部と、複数の吸引孔をずらして配置した吸引孔切り替え板を有し、 前記吸引孔切り替え板を前記開口部上で移動させて吸引位置を変えるようにしたことを特徴とする空気調和機。
【発明の詳細な説明】
【技術分野】
【０００１】
本発明は、エアフィルターの清掃を自動的に行うようにした空気調和機に関するものである。
【背景技術】
【０００２】
従来の空気調和機は、熱交換器の前面に、空気調和機の本体内部へ埃が侵入することを防ぐためのエアフィルターが設けられており、このエアフィルターは付着した塵埃を手や外部の電気掃除機などで清掃できるように着脱自在に設けられている。このようなエアフィルターは、頻繁なメンテナンスが必要となるだけでなく、メンテナンスが行われるまでの間に、エアフィルターが徐々に目詰まりしていき、その結果、熱交換器を通過する風量が低下して空調能力が低下して消費電力の増大につながることとなる。
【０００３】
このため、フィルターのメンテナンスの手間を低減する目的で、駆動軸に張架したベルト状のエアフィルターと、前記エアフィルターの表面に接する回転ブラシを設け、前記駆動軸を回転させてエアフィルターを移動させながら、その表面に堆積した塵埃を回転ブラシを回転させて掻きとるようにした空気調和機がある（例えば特許文献１参照）。
【特許文献１】特開平６−７４５２１号公報
【発明の開示】
【発明が解決しようとする課題】
【０００４】
しかしながら、上記従来技術ではブラシとエアフィルターがお互いにこすられるためブラシに塵埃が絡みついたり、ブラシが摩耗もしくは変形して集塵性能が低下するなどの問題があった。また、ブラシがエアフィルターの全幅に渡って設けられるため、ブラシを回転させるのに高トルクを要し、そのためブラシの駆動手段が大きなものになり、その収納スペースの確保のために空気調和機本体が大型化するという問題があった。
【０００５】
こうした観点からエアフィルターの自動清掃装置としては、フィルターに付着した塵埃を吸引ノズルにて吸引清掃し、吸引された塵埃を集塵装置に集塵もしくは室外へ排出する清掃方法が好ましい。
【０００６】
この方法において、エアフィルター全面を清掃するためには吸引ノズルにエアフィルターの全長に相当する長いスリット状の吸引孔を設けて、吸引孔よりエアフィルターに付着した塵埃を吸引清掃するのが良いが、吸引孔全域から吸引しようとした場合には吸引風量が多くなるため吸引装置の出力が非常に大きくなり、電力を消費するだけでなく空気調和機本体内部への吸引装置の内蔵が困難となる課題があった。
【０００７】
本発明は、前記従来の課題を解決するもので、小出力で小型の吸引装置でエアフィルターの吸引清掃が行える空気調和機を提供することを目的とする。
【課題を解決するための手段】
【０００８】
前記従来の課題を解決するために、本発明の空気調和機は、熱交換器と、前記熱交換器に流入する空気に含まれる塵埃を捕集するエアフィルターと、前記エアーフィルターの上流側表面に沿って移動可能な吸引ノズルと、前記吸引ノズルに連結された吸引装置を備え、前記吸引ノズルは、スリット状の開口部と、複数の吸引孔をずらして配置した吸引孔切り替え板を有し、 前記吸引孔切り替え板を前記開口部上で移動させて吸引位置を変えるようにしたもので、吸引ノズルをエアフィルターの表面に沿って往復させる毎に吸引孔切り替え板を開口部上で移動させ、吸引する吸引孔を順次切り替えることでエアフィルター
全面を清掃することができるとともに、吸引する部分は前記開口部と重なった吸引孔のみに絞られることで、強い吸引力を発揮しつつ吸引風量を大幅に低下させることが可能となり、吸引装置に必要とされる動力は極めて小さいものですませられるので、前記吸引装置の小型化ができる。
【発明の効果】
【０００９】
本発明の空気調和機は、内蔵された極めて小型かつ小出力の吸引装置でエアフィルターに付着した塵埃を自動的に吸引清掃し、メンテナンスの手間を大幅に軽減するだけでなく、エアフィルターを常にきれいな状態に保つことで、空気調和機の熱交換器流通風量の低下を防ぎ、高効率（省エネルギー）な熱交換を維持することができる。
【発明を実施するための最良の形態】
【００１０】
第１の発明は、熱交換器と、前記熱交換器に流入する空気に含まれる塵埃を捕集するエアフィルターと、前記エアーフィルターの上流側表面に沿って移動可能な吸引ノズルと、前記吸引ノズルに連結された吸引装置を備え、前記吸引ノズルは、スリット状の開口部と、複数の吸引孔をずらして配置した吸引孔切り替え板を有し、 前記吸引孔切り替え板を前記開口部上で移動させて吸引位置を変えるようにしたもので、吸引ノズルをエアフィルターの表面に沿って往復させる毎に吸引孔切り替え板を開口部上で移動させ、吸引する吸引孔を順次切り替えることでエアフィルター全面を清掃することができるとともに、吸引する部分は前記開口部と重なった吸引孔のみに絞られることで、強い吸引力を発揮しつつ吸引風量を大幅に低下させることが可能となり、吸引装置に必要とされる動力は極めて小さいものですませられるので、前記吸引装置の小型化ができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における空気調和機のエアフィルターの取り付け部の斜視図である。
【００１３】
図１において、熱交換器を通過する空気に含まれる塵埃を捕集するエアフィルター１は、フィルター枠１ａと、フィルター網１ｂから構成され、そのエアフィルター１の上流側表面に沿って移動可能に吸引ノズル３が設けられている。吸引ノズル３はフィルター枠１ａの上端、下端に設置された１対のガイドレール４により支持されると共に、エアフィルター１の表面と極めて狭い間隙を保って円滑に左右に移動することができる。
【００１４】
また、吸引ノズル３のエアフィルター１側の面には、後述のスリット状の開口部２１が設けてある。
【００１５】
吸引ノズル３には吸引ダクト５の一端が連結され、さらに吸引ダクト５の他端は電動送風機（図示せず）を内蔵する吸引装置６に連結されている。吸引ダクト５は吸引ノズル３の左右の移動に差し支えないように可撓性に優れた蛇腹ホースなどからなり、折り曲げ可能に形成されている。
【００１６】
さらに、吸引装置６の排気側は、室外と連通する排気ダクト７に連結されている。
【００１７】
そして、吸引ノズル３の開口部２１から吸引されたエアフィルター１上の塵埃は、吸引ダクト５、吸引装置６、排気ダクト７を経由して室外へ排出されるようになっている。
【００１８】
図２は、吸引ノズル３をエアフィルター１側から見た状態で分解した状態を示す概略図
である。
【００１９】
なお、本実施の形態における吸引ノズル３は、図１に示されるように、エアフィルター１に沿って折れ曲げられた形状をしているが、説明を容易にする為に、図２においては、吸引ノズル３を真直に伸ばした状態で表わしている。吸引ノズル３には、吸引ダクト５に連通すると共にエアフィルター１上に付着した塵埃を吸引するための幅２〜３ｍｍの幅のスリット状の開口部２１が設けられている。
【００２０】
また、吸引ノズル３のエアフィルター１側に面には、複数の吸引孔、本実施の形態では吸引孔Ａ〜Ｄ（２２ａ〜２４ｄ）の４個を開口部２１と平行にかつ開口部２１の長手方向に直交する方向で位置をずらして設けた吸引孔切り替え板２３（薄い鉄板などでできている）が密着して取り付けられている。また、吸引孔切り替え板２３は、吸引ノズル３に平行、すなわち開口部２１に対して平行に移動させることができるように設けられている。
【００２１】
図３は、吸引ノズル３に吸引孔切り替え板２３を取り付け、４つの吸引孔Ａ〜Ｄ（２２ａ〜２２ｄ）のうち、吸引孔Ａ２２ａが開口部２１と重る位置に、吸引孔切り替え板２３をスライドさせた状態を示している。
【００２２】
このとき、他の吸引孔Ｂ〜Ｄ（２２ｂ〜２２ｄ）は開口部２１とずれているためその部分の開口部２１は閉じられた状態となる。この状態で吸引装置６を運転して吸引を行った場合、吸引される風の流れは図中の白矢印のようになり、吸引孔Ａ２２ａの部分からのみ吸引されることとなる。
【００２３】
図４は吸引孔Ｂ２２ｂが開口部２１と重る位置に吸引孔切り替え板２３をスライドさせた状態を示しており、他の吸引孔Ａ、Ｃ、Ｄ（２２ａ、２２ｃ、２２ｄ）の部分の開口部２１は閉じられた状態である。この状態では吸引孔Ｂ２２ｂの部分のみで吸引されることとなる。同様にして吸引孔Ｃ２２ｃ、吸引孔Ｄ２２ｄのみで吸引する状態がつくれる。
【００２４】
つぎに、上記構成の吸引ノズル３にて、エアフィルター１の全面を吸引清掃を行う際の具体的動作について説明する。
【００２５】
まず、吸引孔切り替え板２３の位置を図３の状態、即ち吸引孔Ａ２２ａの部分のみから吸引される状態とし、吸引ノズル３をガイドレール４に沿って左右に往復動作させることで、吸引孔Ａ２２ａの部分に位置するエアフィルター１の（１）の範囲（図１参照）の塵埃の吸引清掃が行なわれる。吸引装置６により吸引された塵埃は、吸引孔切り替え板２３の吸引孔２２ａから吸引ノズル３の開口部２１を通過し、吸引ダクト５、吸引装置６、排気ダクト７を経て室外に排出される。
【００２６】
次に、吸引孔切り替え板２３をずらして、図４の状態、すなわち吸引孔Ｂ２２ｂの部分のみから吸引される状態とし、同様に吸引ノズル３を左右に往復動作させることで吸引孔Ｂ２２ｂの部分に位置するエアフィルター１の（２）の範囲（図１参照）を吸引清掃する。同様に、順番に吸引孔Ｃ、Ｄ（２２ｃ、２２ｄ）の部分に位置するエアフィルター（３）、（４）の範囲を吸引清掃し、エアフィルター１全面の吸引清掃を終える。
【００２７】
上記の過程では、吸引孔Ａ〜Ｄ（２２ａ〜２２ｄ）の内のひとつの吸引孔を通過する風量は、エアフィルター１の全長に相当する吸引孔で一括吸引した場合の１／４の風量しか用いないが、吸引孔が絞られることになるので、ひとつの吸引孔での風速は必要風速を確保でき、しかも吸引力は充分なものを維持することができる。また、ひとつの吸引孔で吸引する際の必要動力と、エアフィルター１の全長に相当する吸引孔で一括吸引した場合の必要動力と比較すると、（必要動力は風量の３乗に比例するので）前者の必要動力は後者
の１／６４まで低減できる。すなわち、吸引装置６に必要とされる動力は極めて小さいもので済ますことができる。
【００２８】
なお、上記実施の形態では、吸引ノズル３の具体的な移動機構について触れなかったが、たとえば、吸引ノズル３を一方向に付勢する弾性体と、前記弾性体の付勢力に抗する方向に引き出されたワイヤー又は紐をそれぞれ吸引ノズル３に連結し、そのワイヤー又は紐を駆動モーターで巻き上げたり、緩めたりする事で、 吸引ノズル３を左右に移動させるようにすれば良い。或いは、ガイドレール４の一方を長尺のボルトで形成し、吸引ノズル３側に前記ボルトにねじ嵌合するナットを取り付け、前記ボルトを駆動モータで正転、反転させて、吸引ノズル３を左右に移動させるようにしてもよい。
【産業上の利用可能性】
【００２９】
以上のように、本発明にかかる空気調和機は、内蔵された極めて小型かつ小出力の吸引装置でエアフィルターに付着した塵埃を自動的に吸引清掃することができるので、空気調和機以外にもエアフィルターを有する各種送風装置、空気清浄機、電源装置等にも適用できる。
【図面の簡単な説明】
【００３０】
【図１】本発明の実施の形態１における空気調和機のエアフィルターの取り付け部の斜視図
【図２】同空気調和機の吸引ノズルの分解図
【図３】同吸引ノズルの斜視図（吸引孔Ａが開口部と重なっている状態）
【図４】同吸引ノズルの斜視図（吸引孔Ｂが開口部と重なっている状態）
【符号の説明】
【００３１】
１  エアフィルター
１ａ  フィルター枠
１ｂ  フィルター網
３  吸引ノズル
６  吸引装置
２１  開口部
２２ａ〜２２ｄ  吸引孔
２３  吸引孔切り替え板
【図１】
2005140406.tif 000003
【図２】
2005140406.tif 000004
【図３】
2005140406.tif 000005
【図４】
2005140406.tif 000006